(57)【特許請求の範囲】
【請求項１】
舞台本体を水平方向に直進させる複数の駆動車輪と、これらの駆動車輪を駆動する駆動手段と、前記直進方向に延びて舞台本体の直進を案内するレールと、このレールに転動可能に嵌合するガイドディスクと、を備えた舞台ワゴン装置において、前記駆動車輪、ガイドディスクおよびレールとして、前記舞台本体を縦方向に直進させるための縦行用駆動車輪、縦行用ガイドディスクおよび縦行用レールと、前記舞台本体を前記縦方向と直交する横方向に直進させるための横行用駆動車輪、横行用ガイドディスクおよび横行用レールとの２種類を設け、前記縦行用駆動車輪および縦行用ガイドディスクを、前記横行用駆動車輪よりも高い位置から低い位置にわたって昇降させる昇降手段を備え、異なる前記舞台本体どうしを互いに連結するロック機構を備え、複数の前記舞台本体を一体として同期的に動かすことを特徴とする舞台ワゴン装置。
【請求項２】
前記昇降手段が、舞台本体に回動可能に支持されその先端に駆動車輪またはガイドディスクを支持するアームと、このアーム先端を昇降させるジャッキとから構成されることを特徴とする請求項１記載の舞台ワゴン装置。
【発明の詳細な説明】
【０００１】
【発明の属する技術分野】
本発明は、劇場等の水平移動式舞台の舞台ワゴン装置の改良に関する。
【０００２】
【従来の技術】
劇場等の舞台では、舞台演出に合わせて水平方向に移動可能な移動式舞台が用いられることがある。従来、このような移動式舞台の水平移動は、例えば、図３に示すような舞台ワゴン装置によりなされていた。
【０００３】
これによれば、舞台ワゴン装置４０は、舞台本体４１の裏面を構成するフレーム２に、複数の車輪４３およびガイド車輪４４を設置している。このうち、ガイド車輪４４は、舞台ワゴン装置４０が置かれる床面４５に形成された直線状のレール（溝）４６に沿って案内されるようになっており、舞台ワゴン装置４０は、電気または油圧等の何らかの動力で駆動されることにより、車輪４３およびガイド車輪４４に支持されながらレール４６に沿った方向に移動し得るようになっている。なお、移動後の舞台ワゴン装置４０は、同じくフレーム４２に設けられた複数のジャッキ装置４７を作動させることにより、車輪４３およびガイド車輪４４の床面４５との接触を断つところまで上昇させられて、固定されるようになっている。
【０００４】
【発明が解決しようとする課題】
ところで、このような従来の舞台ワゴン装置４０は、レール４６に沿った方向にしか、すなわち一方向にしか動くことができず、劇場等で複数の舞台ワゴン装置４０を配置し舞台演出を行うとき等、舞台本体４１の配置パターンが限定されてしまい、舞台演出が制限されてしまう。
【０００５】
本発明は、このような問題点に着目し、互い直行する２方向に移動可能であり、移動方向の切換が容易な舞台ワゴン装置を提供することを目的とする。
【０００６】
【課題を解決するための手段】
第１の発明は、舞台本体を水平方向に直進させる複数の駆動車輪と、これらの駆動車輪を駆動する駆動手段と、前記直進方向に延びて舞台本体の直進を案内するレールと、このレールに転動可能に嵌合するガイドディスクとを備えた舞台ワゴン装置において、前記駆動車輪、ガイドディスクおよびレールとして、前記舞台本体を縦方向に直進させるための縦行用駆動車輪、縦行用ガイドディスクおよび縦行用レールと、前記舞台本体を前記縦方向と直交する横方向に直進させるための横行用駆動車輪、横行用ガイドディスクおよび横行用レールとの２種類を設け、前記縦行用駆動車輪および縦行用ガイドディスクを、前記横行用駆動車輪よりも高い位置から低い位置にわたって昇降させる昇降手段を備え、異なる前記舞台本体どうしを互いに連結するロック機構を備え、複数の前記舞台本体を一体として同期的に動かす構成とした。
【０００７】
第２の発明では、前記昇降手段が、舞台本体に回動可能に支持されその先端に駆動車輪またはガイドディスクを支持するアームと、このアーム先端を昇降させるジャッキとから構成される。
【０００８】
【作用】
第１の発明では、舞台ワゴン装置の横行時には、昇降手段によって縦行用駆動車輪および縦行用ガイドディスクを横行用駆動車輪より高い位置に引き上げ、縦行用駆動車輪を床面から、また縦行用ガイドディスクを縦行用レールから、それぞれ引き離した状態として、横行用駆動車輪と横行用ガイドディスクによる横方向への移動を行う。一方、舞台ワゴン装置の縦行時には、昇降手段によって縦行用駆動車輪および縦行用ガイドディスクを横行用駆動車輪より低い位置に引き降ろすことにより、縦行用駆動車輪により舞台ワゴン装置を支持して、横行用駆動車輪を床面から引き離し、横行用ガイドディスクを横行用レールより引き上げるとともに、縦行用ガイドディスクを縦行用レールに嵌合させることにより、舞台ワゴン装置は縦行用ガイドディスクおよび縦行用レールに案内されて、縦行用駆動車輪により縦方向に移動させられる。これにより、舞台ワゴン装置は、容易に互いに直交する方向に移動させることができ、この舞台ワゴン装置を用いた舞台演出の自由度が高められ、また舞台本体移動の作業効率が高められる。
【０００９】
第２の発明では、回動可能なアーム先端に連結された駆動車輪およびガイドディスクが、ジャッキによって昇降させられるので、縦行時また横行時における駆動車輪およびガイドディスクの位置は安定的に保たれ、また、縦行時と横行時の切換は容易に行い得る。
【００１０】
【発明の実施の形態】
以下、添付図面に基づいて、本発明の実施の形態について説明する。
【００１１】
図１に示すように、舞台ワゴン装置１の舞台本体２は、所定の大きさの長方形の板であり、その裏面側には、互いに直角に交差するプレートにより、格子型のフレーム３が形成されている。
【００１２】
このフレーム３には、縦行用駆動装置４および縦行用ガイド装置５と、横行用駆動装置６および横行用ガイド装置７が、それぞれ固設されている。
【００１３】
このうち、横行用駆動装置６は、横行方向（図１の左右方向）に進む向きの複数（図１では３個）の横行用駆動車輪１１が取り付けられた車軸１２を、舞台本体２の上辺から下辺にかけて側辺と平行に延びるように配設したものであり、この車軸１２はブレーキ付ギャードモータ１３によって正逆両方向に回転駆動されるようになっている。
【００１４】
このような横行用駆動装置６は、両側辺の間に所定の間隔をもって所定の個数設けられ、後述する縦行用駆動装置４および縦行用ガイド装置５が作動していないときには、舞台ワゴン装置１は、各横行用駆動装置６の横行用駆動車輪１１により床面８上に支持され、また舞台ワゴン装置１の横行時には、各横行用駆動装置６のギャードモータ１３を同一回転数で回転させることにより、所定の速度で横方向に移動するようになっている。
【００１５】
また、横行用ガイド装置７は、舞台ワゴン装置１の舞台本体２の中央を横方向（図１の左右方向）に横切る横行用スリットレール１５に嵌合して回転する横行用ガイドディスク１６を備えており、これにより舞台ワゴン装置１は横行時に安定した軌道を案内される。
【００１６】
一方、縦行用駆動装置４は、図２にも詳細に示すように、フレーム３に固設されたブラケット２１にピン２２を介して回動可能に取り付けられたアーム２３の先端に、縦行用駆動車輪２４を回転可能に軸支している。このような縦行用駆動装置４は、舞台本体２の上辺および下辺側に、所定の間隔で複数個設けられている。
【００１７】
アーム２３の縦行用駆動車輪２４側は、ジャッキアップ装置２５を介して、舞台本体２と水平に配設された電動ジャッキ２６と連結され、アーム２３は、図に矢印で示したように上下方向に回動させられる。ここで、ジャッキアップ装置２５は、電動ジャッキ２６の水平方向の伸縮を、上下方向の動きに変換してアーム２３先端に伝えるように、例えばリンク機構から構成される。
【００１８】
これにより、アーム２３が上方向に回動したときには、縦行用駆動車輪２４は、上下方向の位置が固定された横行用駆動車輪１１より上方に来ることによって、床面８との接触が断たれる。これに対して、アーム２３が下方向に回動したときには、縦行用駆動車輪２４は横行用駆動車輪１１より下方にまで降りて来て、舞台ワゴン装置１を持ち上げて支持することにより、横行用駆動車輪１１と床面８との接触を断ち、また、横行用ガイドディスク１６の横行用スリットレール１５に対する嵌合を断つようになっている。
【００１９】
なお、縦行用駆動車輪２４は、フレーム３に設置されたユニバーサルシャフト２７、２８により両側方から支持されるようになっており、このうち一方のユニバーサルシャフト２８は、同じくフレーム３に取り付けられたブレーキ付ギャードモータ２８に連結されている。これらのユニバーサルシャフト２７、２８は、アーム２３の回動にしたがって、一端を縦行用駆動車輪２４に追随させながらその向きを変えるととも、縦行時に下方向に下がった縦行用駆動車輪２４に、縦行駆動用のブレーキ付ギャードモータ２８の回転力を伝達するようになっている。
【００２０】
縦行用ガイド装置５は、舞台本体２の上辺側と下辺側に設けられ、舞台本体２中央下方を縦断ように床面８に形成された縦行用スリットレール３０に嵌合して回転する縦行用ガイドディスク３１を、上下方向に回動可能なアーム３２の先端側に軸支し、このアーム３２を電動ジャッキ３３により回動させるものである。なお、アーム３２と電動ジャッキ３３の間には、縦行用駆動装置４のジャッキアップ装置２５と同様に、例えばリンク機構からなるジャッキアップ装置３４が介装され、電動ジャッキ３の水平方向の伸縮を、アーム３２先端の上下方向の動きに変換するようになっている。
【００２１】
これにより、舞台ワゴン装置１の横行時には、縦行用ガイドディスク３１と縦行用スリットレール３０の嵌合を断って置く一方で、舞台ワゴン装置１の縦行時には、電動ジャッキ３３を縦行用駆動装置４の電動ジャッキ２６と同期させて作動させることにより、縦行用ガイドディスク３１を縦行用スリットレール３０に嵌合させ、これにより舞台ワゴン装置１を安定した軌道で案内するようになっている。
【００２２】
なお、舞台ワゴン装置１の下辺側には、他の舞台ワゴン装置１と連結するためのロック機構３５が設置されており、このロック機構３５が他の舞台ワゴン装置１の上辺側に連結穴３６を介して連結されることにより、複数の舞台ワゴン装置１を一体として同期的に動かすことができる。
【００２３】
つぎに作用を説明する。
【００２４】
本発明の舞台ワゴン装置１は劇場等に設けられ、舞台演出に合わせて、大道具等を舞台本体２上に乗せながら、横行または縦行の直角な２方向に移動する。
【００２５】
横行時には、横行用駆動装置６を作動させ、舞台ワゴン装置１は、横行用ガイド装置に案内されながら、図１の左右方向に安定して案内される。
【００２６】
一方、縦行時には、縦行用駆動装置４の電動ジャッキ２６を作動させ、縦行用駆動車輪２４により舞台ワゴン装置１を支持するようにし、また、縦行用ガイド装置５の電動ジャッキ３３を作動させて、縦行用ガイドディスク３１を縦行用スリットレール３０に嵌合させる。これにより、横行用駆動車輪１１と横行用ガイドディスク１６は浮いた状態となり、舞台ワゴン装置１は、縦行用駆動装置４により駆動され、縦行用ガイド装置により案内されて、スムーズに縦行移動する。
【００２７】
このように、本発明によれば舞台ワゴン装置１は、互いに直行する２方向に移動することができるので、例えば舞台ワゴン装置１を複数個組み合わせて用いる場合に舞台本体２の配置パターンをさまざまに取ることができる等、舞台演出の自由度が高められる。
【００２８】
また、電動ジャッキ２６、３３の作動により容易に横行と縦行が切り換えられるので、移動時の作業が簡単であり、作業効率が向上する。
【００２９】
【発明の効果】
本発明によれば、舞台ワゴン装置の横行時には、昇降手段によって縦行用駆動車輪および縦行用ガイドディスクを横行用駆動車輪より高い位置に引き上げ、縦行用駆動車輪を床面から、また縦行用ガイドディスクを縦行用レールから、それぞれ引き離した状態として、横行用駆動車輪と横行用ガイドディスクによる横方向への移動を行う一方、舞台ワゴン装置の縦行時には、昇降手段によって縦行用駆動車輪および縦行用ガイドディスクを横行用駆動車輪より低い位置に引き降ろすことにより、縦行用駆動車輪により舞台ワゴン装置を支持して、横行用駆動車輪を床面から引き離し、横行用ガイドディスクを横行用レールより引き上げるとともに、縦行用ガイドディスクを縦行用レールに嵌合させることにより、舞台ワゴン装置は縦行用ガイドディスクおよび縦行用レールに案内されて、縦行用駆動車輪により縦方向に移動させられるので、舞台ワゴン装置は、容易に互いに直交する方向に移動させることができ、この舞台ワゴン装置を用いた舞台演出の自由度が高められ、また舞台本体移動の作業効率が高められる。
【００３０】
第２の発明によれば、回動可能なアーム先端に連結された駆動車輪およびガイドディスクが、ジャッキによって昇降させられるので、縦行時また横行時における駆動車輪およびガイドディスクの位置は安定的に保たれ、また、縦行時と横行時の切換は容易に行い得る。
【図面の簡単な説明】
【図１】本発明の実施の形態を示す斜視図である。
【図２】同じく縦行用駆動装置を示す斜視図である。
【図３】同じく従来の舞台ワゴン装置を示す斜視図である。
【符号の説明】
１  舞台ワゴン装置
２  舞台本体
４  縦行用駆動装置
５  縦行用ガイド装置
６  横行用駆動装置
７  横行用ガイド装置
１１  横行用駆動車輪
１３  横行用ギャードモータ
１５  横行用レール
１６  横行用ガイドディスク
２３  アーム
２４  縦行用駆動車輪
２６  電動ジャッキ
２９  縦行用ギャードモータ
３０  縦行用レール
３１  縦行用ガイドディスク
３２  アーム
３３  電動ジャッキ
【図１】
0003714718.tif 000002
【図２】
0003714718.tif 000003
【図３】
0003714718.tif 000004